(57)【特許請求の範囲】
【請求項１】
杼口（８）を形成する開口装置（２）と、少なくとも１つのよこ糸ループ（１４、１４ａ、１４ｂ、１４ｃ、１４ｄ）を前記杼口（８）に挿入するためのよこ針（１２、１２ａ）と、前記よこ針（１２、１２ａ）の打込み側（１８）とは反対側となる前記杼口（８）の抜出し側（２０）にて前記よこ糸ループ（１４、１４ａ、１４ｂ、１４ｃ、１４ｄ）を固定するための編針（２６）と、前記よこ針（１２、１２ａ）の打込み側（１８）にて前記よこ糸ループに絡み付（３０、３０ａ、３０ｂ、３０ｃ、３０ｄ）を形成するための第２編針（３６）と、を備えた細幅織機において、
打込み側（１８）の前記第２編針（３６）と抜出し側（２０）の前記編針（２６）とが、同じ回転軸（４７）の周りを個別に揺動可能に配置されていることを特徴とする細幅織機。
【請求項２】
少なくとも１本のバインダ糸（３４ｃ）を、ループ（７２）としてよこ糸ループ（１４ｄ）と平行に杼口（８）に挿入可能であることを特徴とする請求項１に記載の細幅織機。
【請求項３】
ループ（７２）として給糸されるバインダ糸（３４ｃ）用の他のガイドアイ（７０）を前記よこ針（１２ａ）が有することを特徴とする請求項２に記載の細幅織機。
【請求項４】
絡み付けられる糸の少なくとも１本が、前記開口装置（７８ａ、７８ｂ、７８ｃ）に結合された糸ガイド（６６）によって案内されることを特徴とする請求項１ないし３のいずれか１項に記載の細幅織機。
【請求項５】
打込み側（１８）の編針（２６）と抜出し側（２０）の編針（３６）が９０°〜２７０°の位相差を有して駆動されることを特徴とする請求項１ないし４のいずれか１項に記載の細幅織機。
【請求項６】
各編針（２６、３６）に編目脱出バー（５６、５８）が付設されていることを特徴とする請求項１ないし５のいずれか１項に記載の細幅織機。
【請求項７】
細幅織機が筬打ち耳（５０）に付設された細幅織物ガイド（５４）を有し、この細幅織物ガイドが、最大で、製造される細幅織物（５２、５２ａ、５２ｂ、５２ｃ、５２ｄ）の全幅にわたって延びていることを特徴とする請求項１ないし６のいずれか１項に記載の細幅織機。
【請求項８】
請求項１ないし７のいずれか１項に記載の細幅織機で製造される細幅織物であって、たて糸（６）に織り込まれるよこ糸ループ（１４、１４ａ、１４ｂ、１４ｃ、１４ｄ）を有し、これらのよこ糸ループが細幅織物（５２、５２ａ、５２ｂ、５２ｃ、５２ｄ）の全幅にわたって延び、かつ打込み側（１８）と反対側の抜出し側（２０）とで、それ自身に絡み付（２２、２２ａ、２２ｂ、２２ｃ、２２ｄ、３０、３０ａ、３０ｂ、３０ｃ、３０ｄ）を形成することによっておよび／または少なくとも１本のバインダ糸（３４、３４ａ、３４ｂ、３４ｃ、６４）によって結ばれており、前記よこ糸（１６、１６ａ、１６ｂ、１６ｃ、１６ｄ）がモノフィラメント糸であり、前記バインダ糸（２４、２４ａ、２４ｂ、２４ｃ、３４、３４ａ、３４ｂ、３４ｃ、６２、６４）がマルチフィラメント糸であることを特徴とする細幅織物。
【請求項９】
打込み側（１８）での絡み付（３０、３０ｂ、３０ｃ、３０ｄ）が付加的バインダ糸（３４、３４ａ、３４ｂ、３４ｃ）によって隣接よこ糸ループ（１４、１４ｂ、１４ｃ、１４ｄ）の結節部（３８、３８ｂ、３８ｃ）の間に形成されていることを特徴とする請求項８に記載の細幅織物。
【請求項１０】
細幅織物が打込み側（１８）に他のバインダ糸（６４）を有し、このバインダ糸が第１バインダ糸（３４ｂ）に絡み付いていることを特徴とする請求項９に記載の細幅織物。
【請求項１１】
バインダ糸（３４ｃ）がループ（７２）としてよこ糸ループ（１４ｄ）と平行に杼口（８）内に配置されて抜出し側（２０）で絡み付いていることを特徴とする請求項８ないし１０のいずれか１項に記載の細幅織物。
【発明の詳細な説明】
【０００１】
［技術分野］
本発明は、請求項１の前文に記載された細幅織物を製造するための細幅織機、および請求項８の前文に記載されたこのような細幅織物に関する。
【０００２】
［背景技術］
細幅織機およびこれで製造された細幅織物がＣＨ‐Ａ‐５９８３８２により公知である。打込み側および抜出し側に設けられる編針によって一方で細幅織機の構造が複雑となり、他方で細幅織物が製造時にきわめて強い負荷に曝され、これらの負荷で細幅織物が歪むことがある。細幅織物の製造は困難となっており、能力を下げてのみ可能である。
【０００３】
［発明の開示］
本発明の課題は、冒頭に指摘した種類の細幅織機および細幅織物をさらに改良することである。
【０００４】
この課題は、本発明によれば、
ａ）請求項１の細幅織機；
ｂ）請求項８の細幅織物によって解決される。
【０００５】
打込み側用編針と抜出し側用編針が同じ回転軸の周りを揺動可能に配置されていることによって、細幅織物の両側に同じ耳形成を促進して細幅織物の歪みを防止する単純な構造、特に細幅織物の両側に対称な構造が得られる。
【０００６】
細幅織機がよこ針の打込み側に、絡み付けるための第２編針を有することによって、両方の耳に、すなわち杼口へのよこ針の打込み側と杼口からのよこ針の抜出し側とに少なくともほぼ同一の外観を有する細幅織物を製造することができる。杼口へのよこ糸ループ打込み側での絡み付が技術的に過剰であると、細幅織物の両耳が同じであるとの印象を観察者に与える。そのことからまず最初に少なくとも細幅織物が視覚的に向上する。しかし細幅織物の両耳での絡み付によって、両側で同一または少なくともきわめて類似した細幅織物構造も得られ、これにより細幅織物の物理的性質が改良される。例えば、特に負荷のもとでの細幅織物の歪みが防止される。細幅織物の両耳の抵抗力、したがってその摩損感受性は事実上同じである。特に、細幅織物耳の絡み付によってモノフィラメントよこ糸の反転部の不利な諸性質は防止されることが確認された。モノフィラメントよこ糸の反転部によって形成される堅い鋸歯状細幅織物耳が絡み付によって緩和され、物が破損しおよび／または人が損傷する危険は十分に除去されている。
【０００７】
細幅織機の有利な諸構成は従属請求項２〜７に明示され、細幅織物の有利な諸構成は従属請求項９〜１１に明示されている。
【０００８】
杼口の打込み側での絡み付は抜出し側での絡み付と同じものまたは異なるものとすることができる。絡み付に関しては、例えばＫＩＰＰ、同掲書８４〜９４頁に述べられたミュラー製織組織Ｉ〜Ｖ等の数多くの実施例がある。たて糸とよこ糸とバインダ糸はさまざまな材料で構成することができ、さまざまな構成および寸法を有することができる。特別な利点はモノフィラメント糸からなるよこ糸とマルチフィラメント糸からなるバインダ糸とを有する細幅織物において得られる。
【０００９】
以下、図面を基に本発明の実施例が詳しく説明される。
【００１０】
［発明を実施するための方策］
図１と図２は細幅織機の製織領域を略図で示しており、発明にとって重要な部品のみ示してある。開口装置２は柄に合わせて制御されるヘルド４を含み、ヘルドはたて糸６を柄プログラムに従って開口させて杼口８を形成する。軸１０の周りを揺動可能なよこ針１２は、マルチフィラメントまたはモノフィラメントよこ糸１６のよこ糸ループ１４を打込み側１８で杼口８に打ち込む。抜出し側２０でよこ針１２が、したがってよこ糸ループ１４が杼口８から突出し、そこで絡み付２２によって結ばれる。
【００１１】
図１ないし図３の実施例では絡み付２２がマルチフィラメントバインダ糸２４によって形成され、このバインダ糸２４が糸ガイド２５を介して供給され、第１編針２６によってよこ糸ループ１４に通され、バインダ糸２４のループ２８にそれ自身が絡み付く。この絡み付組織がＫＩＰＰ、同掲書８６頁にミュラー製織組織ＩＩとして述べられている。打込み側１８に設けられた他の絡み付３０は、抜出し側２０の絡み付２２と同様に構成されている。絡み付３０は糸ガイド３２を介して供給されるマルチフィラメントバインダ糸３４によって形成され、このバインダ糸３４は第２編針３６によって隣接よこ糸ループ１４間の結節部３８に挿通されてそれ自身に絡み付く。
【００１２】
針２６、３６はそれぞれ揺動腕４０、４２に配置されており、揺動腕４０、４２は回転軸４７の周りで揺動可能な同軸の軸４４、４６に固着され、位相差をもって駆動される。位相差は９０°〜２７０°とすることができる。打込み側１８もしくは抜出し側２０でよこ針１２の位置が１８０°ずれているのに合わせて１８０°の位相差が好ましい。
【００１３】
細幅織機がさらに製織筬４８を含み、この製織筬４８は杼口８に打ち込まれたよこ糸ループ１４を細幅織物５２の筬打ち耳５０で筬打ちする。筬打ち耳５０の後段に設けられる細幅織物ガイド５４は、最大で、製造される細幅織物５２の全幅にわたって延びている。細幅織物ガイド５４は、製造された細幅織物５２を筬打ち耳５０後に申し分なく案内する。この案内を支援する編目脱出バー５６、５８が細幅織物ガイド５４の両側に配置され、すなわち打込み側１８もしくは抜出し側２０に割当てられている。
【００１４】
図４に示す第２細幅織物５２ａではよこ糸１６ａが、図３の実施例におけるよこ針１２によって、たて糸６で形成される杼口に挿入される。抜出し側２０でも打込み側１８でもよこ糸１６ａは、各第１編針２６もしくは第２編針３６によってそれ自身とループ化される。それに応じてよこ糸ループ１４ａの頭部６０は抜出し側２０で絡み付２２ａ時にそれ自身に絡み付く。同様に、隣接よこ糸ループ１４ａ間の結節部３８ａは、図４から明らかとなるように打込み側１８で第２編針３６によってそれ自身に絡み付く。これは、ＫＩＰＰ、同掲書８５頁のミュラー製織組織Ｉである。
【００１５】
図５に示す第３細幅織物５２ｂでは、よこ針１２によって杼口に挿入されたよこ糸ループ１４ｂが打込み側１８でも抜出し側２０でもそれぞれ絡み付３０ｂ、２２ｂを備えており、絡み付はバインダ糸３４ａ、２４ａとよこ糸１６ｂとで形成されており、つまりこれらの糸は互いに平行に絡み付いている。これは、ＫＩＰＰ、同掲書８６頁のミュラー製織組織ＩＩＩである。
【００１６】
図６に示す第４細幅織物５２ｃでは、やはり好ましくはモノフィラメントよこ糸１６ｃがよこ糸ループ１４ｃの態様でよこ針１２によって杼口８に挿入される。打込み側１８と抜出し側２０で絡み付３０ｃ、２２ｃがそれぞれマルチフィラメントバインダ糸３４ｂ、２４ｂで形成され、バインダ糸はそれぞれ隣接よこ糸ループ１４ｃの結節部３８ｂにもしくはよこ糸ループの頭部６０に通される。これらのバインダ糸２４ｂ、３４ｂは一方で第１、第２編針２６、３６によってそれ自身に、また他方で付加的第２バインダ糸６２、６４によって、絡み付いている。これは、ＫＩＰＰ、同掲書８７頁のミュラー製織組織Ｖである。糸ガイド６６と給糸器６８はさまざまなバインダ糸を供給してそれらが編針２６、３６によって把持され得るようにするのに役立つ。糸ガイド６６は、開口装置２の杆またはヘルドバー７８ａ、７８ｂ、７８ｃによって駆動することができ、または個別の駆動装置によって制御することができる。
【００１７】
図７に示す第５細幅織物５２ｄでは、よこ針１２ａがモノフィラメントよこ糸１６ｄのよこ糸ループ１４ｄを挿入するだけでなく、同時にかつよこ糸ループ１４ｄと平行にマルチフィラメントバインダ糸３４ｃのループ７２を杼口に打ち込むために、他のアイ７０を備えている。このバインダ糸３４ｃは、打込み側１８で第２編針３６によってそれ自身に絡み付けられる。このためバインダ糸３４ｃの隣接ループ７２の結節部７４は、隣接よこ糸ループ１４ｄの結節部３８ｃの外側で互いに絡み付く。つまり絡み付３０ｄは打込み側１８でのよこ糸ループ１４ｄの結節部３８ｃの外側にある。抜出し側２０で絡み付２２ｄがバインダ糸２４ｃによって形成され、このバインダ糸２４ｃは、同時にそれぞれよこ糸ループ１４ｄの頭部６０とバインダ糸３４ｃのループ７２の頭部７６とに通され、それ自身に絡み付く。
【００１８】
実施例において編針は主にべら針であるが、しかし特に複合針等の他の編針も利用できる。
【００１９】
なお数多くの別の実施変種が考えられ、特に打込み側での絡み付は抜出し側の絡み付と同一である必要はなく、両側で異なる組織を利用することができる。よこ糸はマルチフィラメントとすることができ、しかし主にモノフィラメントである。それに対してバインダ糸は一般に、その柔軟性に基づいて絡み柄に一層良好に適合できるマルチフィラメント糸である。
【図面の簡単な説明】
【図１】  細幅織機の製織領域を示す平面図である。
【図２】  図１の細幅織機の一部を示す側面図である。
【図３】  ミュラー製織組織ＩＩに従ってよこ糸が両側でバインダ糸によって結ばれた第１細幅織物の構造を拡大して示す平面図である。
【図４】  ミュラー製織組織Ｉに従ってよこ糸が両側でそれ自身に結ばれた第２細幅織物の構造を拡大して示す平面図である。
【図５】  ミュラー製織組織ＩＩＩに従って両側でバインダ糸がよこ糸と一緒にそれ自身に絡み付いた第３細幅織物の構造を拡大して示す平面図である。
【図６】  ミュラー製織組織Ｖに従って両側でバインダ糸とロッキング糸が互いに絡み付いた第４細幅織物の構造を拡大して示す平面図である。
【図７】  第２バインダ糸がよこ糸と一緒に挿入された第６細幅織物の構造を拡大して示す平面図である。
【符号の説明】
２  開口装置
４  ヘルド
６  たて糸
８  杼口
１０、４４、４６  軸
１２、１２ａ  よこ針
１４、１４ａ、１４ｂ、１４ｃ、１４ｄ  よこ糸ループ
１６、１６ａ、１６ｂ、１６ｃ、１６ｄ  よこ糸
１８  打込み側
２０  抜出し側
２２、２２ａ、２２ｂ、２２ｃ、２２ｄ、３０、３０ａ、３０ｂ、３０ｃ、３０ｄ  絡み付
２４、２４ａ、２４ｂ、２４ｃ、２４ｄ、３４、３４ａ、３４ｂ、３４ｃ  バインダ糸
２５、３２、６６  糸ガイド
２６  第１編針
２８、７２  ループ
３６  第２編針
３８、３８ａ、３８ｂ、３８ｃ、７４  結節部
４０、４２  揺動腕
４７  回転軸
４８  製織筬
５０  筬打ち耳
５２、５２ａ、５２ｂ、５２ｃ、５２ｄ  細幅織物
５４  細幅織物ガイド
５６、５８  編目脱出バー
６０、７６  頭部
６２、６４  第２バインダ糸
６８  給糸器
７０  アイ
７８ａ、７８ｂ、７８ｃ  ヘルドバー（開口装置の杆）
【図１】
0005004394.tif 000002
【図２】
0005004394.tif 000003
【図３】
0005004394.tif 000004
【図４】
0005004394.tif 000005
【図５】
0005004394.tif 000006
【図６】
0005004394.tif 000007
【図７】
0005004394.tif 000008